(57)【要約】【課題】コントローラ本体の姿勢に拘らず所望の方向に信号を送信できると共に、無駄な電力消費を抑制することができる視標提示装置用リモートコントローラを提供する。【解決手段】被検者２に視標Ｓを提示する視標提示装置１０に向けて信号を送信する視標提示装置用リモートコントローラ２０において、コントローラ本体２１と、コントローラ本体２１に設けられると共に互いに異なる方向に向けて信号を送信する複数の送信部（第１送信部２２ａ〜第３送信部２２ｃ）と、複数の送信部（第１送信部２２ａ〜第３送信部２２ｃ）のいずれかから選択的に信号を送信させる信号制御部２８と、を備える構成とした。【選択図】図３
2020141899.tif 000002
【特許請求の範囲】
【請求項１】
被検者に視標を提示する視標提示装置に向けて信号を送信する視標提示装置用リモートコントローラにおいて、
コントローラ本体と、前記コントローラ本体に設けられると共に互いに異なる方向に向けて前記信号を送信する複数の送信部と、前記複数の送信部のいずれかから選択的に信号を送信させる信号制御部と、を備える
ことを特徴とする視標提示装置用リモートコントローラ。
【請求項２】
請求項１に記載された視標提示装置用リモートコントローラにおいて、
前記コントローラ本体は、検者から視認可能な位置に設けられた表示部を有し、
前記表示部には、前記信号を送信する送信部の位置が表示される
ことを特徴とする視標提示装置用リモートコントローラ。
【請求項３】
請求項１又は請求項２に記載された視標提示装置用リモートコントローラにおいて、
前記コントローラ本体は、検者から視認可能な位置に設けられた表示部を有し、
前記表示部には、前記送信部から送信される信号の送信方向が表示される
ことを特徴とする視標提示装置用リモートコントローラ。
【請求項４】
請求項１から請求項３のいずれか一項に記載された視標提示装置用リモートコントローラにおいて、
前記コントローラ本体は、前記検者から視認可能な位置に設けられた表示部を有し、
前記表示部には、前記送信部から送信される信号の送信強度が表示される
ことを特徴とする視標提示装置用リモートコントローラ。
【請求項５】
請求項１から請求項４のいずれか一項に記載された視標提示装置用リモートコントローラにおいて、
前記コントローラ本体は、前記検者から視認可能な位置に設けられた表示部を有し、
前記表示部には、前記送信部から送信された信号の配光特性が表示される
ことを特徴とする視標提示装置用リモートコントローラ。
【請求項６】
請求項１から請求項５のいずれか一項に記載された視標提示装置用リモートコントローラにおいて、
前記コントローラ本体は、可視光を発光可能なレーザポインタを有する
ことを特徴とする視標提示装置用リモートコントローラ。
【請求項７】
請求項１から請求項６のいずれか一項に記載された視標提示装置用リモートコントローラと、被検者に視標を提示する視標提示部と、視標提示装置用リモートコントローラから送信された信号を受信する受信部と、前記受信部にて受信した信号に基づいて被検眼と前記視標提示部との位置関係を調整するアライメント駆動部と、を備えた
ことを特徴とする視標提示装置。 
【発明の詳細な説明】
【技術分野】
【０００１】
本発明は、視標提示装置用リモートコントローラ及びこれを備えた視標提示装置に関するものである。
【背景技術】
【０００２】
従来から、視標提示装置に対して信号を送信する送信部を有するリモートコントローラが知られている（例えば、特許文献１参照）。
【先行技術文献】
【特許文献】
【０００３】
【特許文献１】特開２００９−２２５２５４号公報
【発明の概要】
【発明が解決しようとする課題】
【０００４】
ところで、従来のリモートコントローラでは、コントローラ本体の前部と後部のそれぞれに送信部及び受信部を設け、コントローラ本体をどちらに向けてもいいようにしている。しかしながら、リモートコントローラから送信される信号は、コントローラ本体の前部に設けられた送信部と、コントローラ本体の後部に設けられた送信部とからそれぞれ送信されてしまうため、視標提示装置に臨んでいない送信部から送信された信号は不要であった。そして、不要な信号も送信していることで、無駄な電力消費が生じてしまうという問題があった。
【０００５】
本発明は、上記問題に着目してなされたもので、コントローラ本体の姿勢に拘らず所望の方向に信号を送信できると共に、無駄な電力消費を抑制することができる視標提示装置用リモートコントローラ及び視標提示装置を提供することを目的とする。
【課題を解決するための手段】
【０００６】
上記目的を達成するため、本発明の視標提示装置用リモートコントローラは、被検者に視標を提示する視標提示装置に向けて信号を送信する。
そして、コントローラ本体と、コントローラ本体に設けられると共に互いに異なる方向に向けて信号を送信する複数の送信部と、複数の送信部のいずれかから選択的に信号を送信させる信号制御部と、を備えている。
【発明の効果】
【０００７】
このように構成された視標提示装置用リモートコントローラでは、信号制御部によって複数の送信部からの信号の送信が制御され、この複数の送信部のうちのいずれかから選択的に信号が送信される。そのため、コントローラ本体の姿勢に応じて適切な位置に設けられた送信部から信号を送信することが可能となる。よって、コントローラ本体の姿勢に拘らず所望の方向に信号を送信できると共に、無駄な電力消費を抑制することができる。
【図面の簡単な説明】
【０００８】
【図１】実施例１のリモートコントローラを備える視標提示装置を示す外観斜視図である。
【図２】実施例１のリモートコントローラを示す外観斜視図である。
【図３】実施例１のリモートコントローラの構成を示すブロック図である。
【図４】実施例１のリモートコントローラの表示部における表示例を示す説明図であり、（ａ）は送信部選択後の表示例を示し、（ｂ）は送信部選択前の表示例を示す。
【図５】実施例１のリモートコントローラでの送信部選択処理の処理手順を示すフローチャートである。
【図６】（ａ）、（ｂ）はアライメント調整を行う際の実施例１のリモートコントローラの使用状態を示す説明図である。
【図７】視標の設定を行う際の実施例１のリモートコントローラの配置位置を示す説明図である。
【図８】実施例１のリモートコントローラの第１変形例を示す要部外観斜視図である。
【図９】実施例１のリモートコントローラの第２変形例を示す要部平面図である。
【発明を実施するための形態】
【０００９】
以下、本発明の視標提示装置用リモートコントローラ及びこれを備える視標提示装置を実施するための形態を、図面に示す実施例１に基づいて説明する。
【００１０】
（実施例１）
実施例１の眼科装置１は、図１に示すように、被検者２の前方に配置され、被検者２に各種の視標を提示し、提示された視標を視認した被検者２の協力を得て被検眼Ｅの光学特性（屈折力等）を測定する装置である。この眼科装置１は、視標提示装置１０と、検眼テーブル３と、検眼ユニット４と、照明ユニット５を備えている。
【００１１】
視標提示装置１０は、検眼テーブル３の前方に載置され、ランドルト環等の遠用検眼用の視標を被検者２に提示する装置である。また、検眼テーブル３には、水平方向に回動可能な支柱３ａが設けられ、この支柱３ａによって、検眼ユニット４及び照明ユニット５が支持されている。ここで、検眼ユニット４は、屈折力の異なる複数の光学素子を有し、任意の光学素子を被検眼の眼前に選択的に配置することで、被検眼Ｅの視機能を矯正する。
【００１２】
視標提示装置１０は、装置本体１１と、視標提示装置用リモートコントローラ（以下、「リモコン」という）２０と、を備えている。
【００１３】
装置本体１１は、筐体１１ａに収容された視標提示光学系（不図示）と、視標提示部１２と、受信部１３と、アライメント駆動部１４と、視標制御部（不図示）と、を有している。
【００１４】
視標提示部１２は、視標提示光学系によって生成された視標像を提示する液晶ディスプレイであり、筐体１１ａに収容されている。この視標提示部１２の表示画面１２ａは、筐体１１ａの前面に設けられたウインドウＷを介して被検者２から視認可能になっている。
【００１５】
受信部１３は、筐体１１ａの前面に設けられ、リモコン２０から送信された信号を受信する。ここで、リモコン２０からは、アライメント用の赤外光（以下、「第１信号」という）と、視標制御用の赤外光（以下、「第２信号」という）が送信される。受信部１３にて受信した第１信号はアライメント駆動部１４に出力され、受信部１３にて受信した第２信号は視標制御部に出力される。
【００１６】
アライメント駆動部１４は、受信部１３にて受信した第１信号に基づいて、被検眼Ｅと視標提示部１２との位置関係を調整する機構である。すなわち、このアライメント駆動部１４によって、視標提示部１２の表示画面１２ａが被検眼Ｅに対して前後方向、左右方向、上下方向のいずれの方向に移動する。
【００１７】
リモコン２０は、検者６によって操作されて装置本体１１に向けて第１信号又は第２信号を送信し、視標提示部１２に表示する視標の設定や、被検眼Ｅの位置を認識させるワイヤレスの操作部である。このリモコン２０は、図２及び図３に示すように、コントローラ本体２１と、複数の送信部（第１送信部２２ａ、第２送信部２２ｂ、第３送信部２２ｃ）と、表示部２３と、送信部選択ボタン群２４と、アライメントボタン２５と、視標設定ボタン群２６と、電源ボタン２７と、信号制御部２８と、を有している。
【００１８】
コントローラ本体２１は、全体形状が、検者６が片手で持てる程度の薄い直方体に形成されており、樹脂材料で成形されている。ここで、コントローラ本体２１の短手方向Ｘをリモコン２０の左右方向、コントローラ本体２１の厚み方向Ｙをリモコン２０の前後方向、コントローラ本体２１の長手方向Ｚをリモコン２０の上下方向とする。また、コントローラ本体２１の厚み方向Ｙに沿って対向する一方の面をリモコン２０の正面とし、他方の面をリモコン２０の背面とする。
【００１９】
第１送信部２２ａ、第２送信部２２ｂ、第３送信部２２ｃは、いずれも赤外光を発光するＬＥＤであり、発光することで信号（第１信号又は第２信号）を送信する。ここで、第１送信部２２ａは、コントローラ本体２１の左側面２１ａに設けられている。また、第２送信部２２ｂは、コントローラ本体２１の上面２１ｂに設けられている。さらに、第３送信部２２ｃは、コントローラ本体２１の右側面２１ｃに設けられている。そして、第１送信部２２ａは、コントローラ本体２１の左側面２１ａから先端が露出し、コントローラ本体２１の左側方に向けられている。また、第２送信部２２ｂは、コントローラ本体２１の上面２１ｂから先端が露出し、コントローラ本体２１の上方に向けられている。また、第３送信部２２ｃは、コントローラ本体２１の右側面２１ｃから先端が露出し、コントローラ本体２１の右側方に向けられている。すなわち、第１送信部２２ａ〜第３送信部２２ｃの先端は、それぞれ異なる方向に向いており、互いに異なる方向に向けて信号を送信する。なお、コントローラ本体２１の正面２１ｄには、第１送信部２２ａ〜第３送信部２２ｃの位置を示すへこみ２２ｄが形成されている。
【００２０】
表示部２３は、コントローラ本体２１の正面２１ｄに設けられた液晶ディスプレイである。この表示部２３には、視標設定ボタン群２６を操作して設定された視標や、信号を送信する送信部（第１送信部２２ａ〜第３送信部２２ｃのいずれか）の位置等が表示される。この表示部２３において、信号を送信する送信部（第１送信部２２ａ〜第３送信部２２ｃのいずれか）の位置等を表示する場合には、例えば図４（ａ）に示すように表示する。ここで、ＬＥＤを模したグラフィック（以下、「ＬＥＤグラフィック」という）２３ａの表示位置により、信号を送信する送信部（第１送信部２２ａ〜第３送信部２２ｃのいずれか）の位置を示す。また、ＬＥＤグラフィック２３ａの先端方向の向きにより、送信部（第１送信部２２ａ〜第３送信部２２ｃのいずれか）から送信される信号の送信方向を示す。また、ＬＥＤグラフィック２３ａの先端近傍に表示した扇状のグラフィック（以下、「扇型グラフィック」という）２３ｂの厚みにより、送信部（第１送信部２２ａ〜第３送信部２２ｃのいずれか）から送信される信号の送信強度を示す。さらに、扇型グラフィック２３ｂの幅の大きさにより、送信部（第１送信部２２ａ〜第３送信部２２ｃのいずれか）から送信された信号の配光特性を示す。なお、図４（ａ）では、ＬＥＤグラフィック２３ａを表示部２３の上部中央位置に上方向に向けて表示することで、第２送信部２２ｂからコントローラ本体２１の長手方向に沿って信号が送信されることを示す。また、扇型グラフィック２３ｂを二段表示することで、第２送信部２２ｂからの信号強度が「中」であることを示す。
【００２１】
つまり、全てのＬＥＤグラフィック２３ａ及び扇型グラフィック２３ｂを示すと、図４（ｂ）に示す状態となる。なお、送信部を選択する前には、全てのＬＥＤグラフィック２３ａ及び扇型グラフィック２３ｂが一斉に表示される。ここで、上述のように、表示部２３の上部中央位置に上方向に向けて表示されたＬＥＤグラフィック２３ａ２によって、第２送信部２２ｂから信号が送信されることを示す。また、表示部２３の左端位置に左側方に向けて表示されたＬＥＤグラフィック２３ａ１によって、第１送信部２２ａからコントローラ本体２１の左方向に信号が送信されることを示す。また、表示部２３の右端位置に右側方に向けて表示されたＬＥＤグラフィック２３ａ３によって、第３送信部２２ｃからコントローラ本体２１の右方向に信号が送信されることを示す。さらに、表示部２３の上部中央位置に表示された扇型グラフィック２３ｂ２によって、第２送信部２２ｂの信号強度及び配光特性を示す。そして、表示部２３の左端位置に表示された扇型グラフィック２３ｂ１によって、第１送信部２２ａの信号強度及び配光特性を示す。また、表示部２３の右端位置に表示された扇型グラフィック２３ｂ３によって、第３送信部２２ｃの信号強度及び配光特性を示す。
【００２２】
なお、扇型グラフィック２３ｂが一段表示のときは信号強度が「弱」であることを意味し、二段表示のときは信号強度が「中」であることを意味し、三段表示のときは信号強度が「強」であることを意味する。さらに、扇形グラフィック２３ｂの幅が狭いほど、ＬＥＤ正面へ出る光が多くなり、横の方へ広がる光が少ない配光特性であることを意味する。
【００２３】
送信部選択ボタン群２４は、コントローラ本体２１の正面２１ｄに設けられた複数の押ボタンから構成されている。検者６は、この送信部選択ボタン群２４を操作することで、所望の送信部（第１送信部２２ａ〜第３送信部２２ｃのいずれか）を選択し、選択した送信部から信号を送信させることができる。なお、送信部選択ボタン群２４からの送信部選択指令は、信号制御部２８に入力される。
【００２４】
アライメントボタン２５は、コントローラ本体２１の正面２１ｄに設けられた押ボタンによって構成されている。ここで、検者６は、コントローラ本体２１を被検眼Ｅの横や、検眼ユニット４の検眼窓の横に差し出した状態でアライメントボタン２５を操作し、送信部（第１送信部２２ａ〜第３送信部２２ｃのいずれか）を発光させて第１信号を送信することで、被検眼Ｅの位置をアライメント駆動部１４に認識させる。なお、アライメントボタン２５からのアライメント指令は、信号制御部２８に入力される。
【００２５】
視標設定ボタン群２６は、コントローラ本体２１の正面２１ｄに設けられた複数の押ボタンから構成されている。検者６は、この視標設定ボタン群２６を操作することで、視標提示部１２に表示させる視標を選択することができる。なお、視標設定ボタン群２６からの視標選択指令は、信号制御部２８に入力される。
【００２６】
電源ボタン２７は、コントローラ本体２１の正面２１ｄに設けられた押ボタンによって構成されている。検者６は、この電源ボタン２７を操作することで、視標提示装置１０のＯＮ／ＯＦＦ動作を制御することができる。なお、電源ボタン２７からのＯＮ／ＯＦＦ指令は、信号制御部２８に入力される。
【００２７】
信号制御部２８は、コントローラ本体２１に内蔵され、視標設定ボタン群２６から視標選択指令が入力される。そして、この信号制御部２８は、視標選択指令に基づいて、検者６によって選択された送信部（第１送信部２２ａ〜第３送信部２２ｃのいずれか）に対し、アライメントボタン２５からアライメント指令、又は、視標設定ボタン群２６からの視標選択指令を出力する。また、この信号制御部２８は、電源ボタン２７からのＯＮ／ＯＦＦ指令は、予め設定された送信部（例えば第２送信部２２ｂ）に出力する。
【００２８】
なお、信号制御部２８からアライメント指令が出力されたときは、選択された送信部から装置本体１１に向けて第１信号が送信される。また、信号制御部２８から視標選択指令が出力されたときは、選択された送信部から装置本体１１に向けて第２信号が送信される。つまり、信号制御部２８は、複数の送信部（第１送信部２２ａ〜第３送信部２２ｃ）のいずれかから選択的に信号（第１信号又は第２信号）を送信させる。なお、ＯＮ／ＯＦＦ指令が出力されたときは、予め設定された送信部（例えば第２送信部２２ｂ）から装置本体１１に向けてＯＮ／ＯＦＦ信号が送信される。
【００２９】
さらに、この信号制御部２８は、視標選択指令に基づき、検者６によって選択された送信部（第１送信部２２ａ〜第３送信部２２ｃのいずれか）の情報を表示させる指令を表示部２３に出力する。この結果、表示部２３では、例えば図４（ａ）に示すように、信号を送信する送信部（第１送信部２２ａ〜第３送信部２２ｃのいずれか）の位置等を表示する。さらに、信号制御部２８は、電源ボタン２７からＯＮ指令が入力されたときは、全てのＬＥＤグラフィック２３ａ及び扇型グラフィック２３ｂを表示させる指令を表示部２３に出力する。この結果、表示部２３では、例えば図４（ｂ）に示すように、全てのＬＥＤグラフィック２３ａ及び扇型グラフィック２３ｂを表示する。
【００３０】
図５は、実施例１のリモコン２０での送信部選択処理の処理手順を示すフローチャートである。以下、図５に基づき、送信部選択処理の各ステップを説明する。
【００３１】
ステップＳ１では、検者６は電源ボタン２７をＯＮ操作し、ステップＳ２へ進む。ここで、電源ボタン２７がＯＮ操作されたことで電源ボタン２７からＯＮ指令が出力される。
【００３２】
ステップＳ２では、ステップＳ１での電源ＯＮ操作に続き、電源ボタン２７から出力されたＯＮ指令が信号制御部２８に入力され、ステップＳ３へ進む。このとき、予め設定された送信部（例えば第２送信部２２ｂ）から装置本体１１に向けてＯＮ信号が送信される。
【００３３】
ステップＳ３では、ステップＳ２でのＯＮ指令の入力に続き、信号制御部２８は入力されたＯＮ指令に基づいて、全てのＬＥＤグラフィック２３ａ及び扇型グラフィック２３ｂを表示させる指令を表示部２３に出力し、ステップＳ４へ進む。これにより、表示部２３では、全ての送信部（第１送信部２２ａ〜第３送信部２２ｃ）の位置が表示される（図４（ｂ）参照）。
【００３４】
ステップＳ４では、ステップＳ３での全送信部位置の表示に続き、検者６は送信部選択ボタン群２４を操作し、第１送信部２２ａ〜第３送信部２２ｃの中から信号を送信する送信部を選択し、ステップＳ５へ進む。このとき、表示部２３には全ての送信部（第１送信部２２ａ〜第３送信部２２ｃ）の位置が表示されているため、検者６は、表示部２３の表示内容を参考にして送信部を選択することができる。また、検者６は、コントローラ本体２１の向きや装置本体１１、被検者２、検者６の位置等に基づいて、適切な送信部を選択する。
【００３５】
ステップＳ５では、ステップＳ４での送信部の選択に続き、検者６は送信部選択ボタン群２４を操作し、信号を送信する送信部を決定し、ステップＳ６へ進む。ここで、送信部が決定されたことで送信部選択ボタン群２４から送信部選択指令が出力される。
【００３６】
ステップＳ６では、ステップＳ５での送信部の決定に続き、送信部選択ボタン群２４から出力された送信部選択指令が信号制御部２８に入力され、ステップＳ７へ進む。
【００３７】
ステップＳ７では、ステップＳ６での送信部選択指令の入力に続き、信号制御部２８は入力された送信部選択指令に基づいて、選択された送信部（第１送信部２２ａ〜第３送信部２２ｃのいずれか）の位置を示すＬＥＤグラフィック２３ａと、選択された送信部（第１送信部２２ａ〜第３送信部２２ｃのいずれか）の信号強度及び配光特性を示す扇型グラフィック２３ｂを表示させる指令を表示部２３に出力し、エンドへ進む。これにより、表示部２３では、選択された送信部（例えば第２送信部２２ｂ）の位置等が表示される（図４（ａ）参照）。
【００３８】
以下、実施例１のリモコン２０及び視標提示装置１０の作用効果を説明する。
【００３９】
実施例１のリモコン２０を用いて被検眼Ｅと視標提示部１２との位置関係を調整するアライメントを行うには、まず、検者６は、視標提示装置１０の装置本体１１に対峙する位置に被検者２を座らせる。ここで、筐体１１ａの前面から被検者２までの距離は、予め設定した所定距離に合わせる。
【００４０】
次に、検者６は、リモコン２０から第１信号を送信する送信部の位置を設定する。すなわち、図５に示すフローチャートにおいて、ステップＳ１、ステップＳ２と順に進む、これにより、電源ボタン２７からＯＮ指令が出力され、このＯＮ指令が信号制御部２８に入力される。そして、ステップＳ３の処理に進み、表示部２３には、図４（ｂ）に示すように、全ての送信部（第１送信部２２ａ〜第３送信部２２ｃ）の位置が表示される。
【００４１】
続いて、図５に示すフローチャートにおいて、ステップＳ４、ステップＳ５、ステップＳ６の処理に進む。つまり、検者６は、表示部２３の表示内容を参考にしながら、コントローラ本体２１の向きや装置本体１１、被検者２、検者６の位置や向き等に基づき、送信部選択ボタン群２４を操作して、第１送信部２２ａ〜第３送信部２２ｃの中から第１信号を送信する送信部を選択する。そして、検者６は、第１信号の送信に適切と判断した送信部を選択したら、送信部選択ボタン群２４を操作し、第１信号を送信する送信部を決定する。この結果、送信部選択指令が信号制御部２８に入力される。なお、ここでは、検者６がコントローラ本体２１を水平に倒して持った状態で操作することを希望していると仮定し、第２送信部２２ｂを選択する。
【００４２】
そして、図５に示すフローチャートにおけるステップＳ７の処理が実行される。すなわち、表示部２３には、図４（ａ）に示すように選択された送信部（ここでは第２送信部２２ｂ）の位置を示すＬＥＤグラフィック２３ａと、選択された送信部（第２送信部２２ｂ）の信号強度及び配光特性を示す扇型グラフィック２３ｂが表示される。
【００４３】
その後、検者６は、図６（ａ）に示すように、正面２１ｄを自身に向けた状態でリモコン２０のコントローラ本体２１を水平に倒して持ち、上面２１ｂを装置本体１１の受信部１３に向けた状態で被検者２の被検眼Ｅの横に差し出す。このとき、第２送信部２２ｂの高さ位置と被検眼Ｅの高さ位置を合わせる。そして、検者６は、アライメントボタン２５をＯＮ操作する。これにより、アライメントボタン２５からアライメント指令が出力されて信号制御部２８に入力される。そして、信号制御部２８は、第１信号を送信すると選択された第２送信部２２ｂにアライメント指令を出力する。この結果、第２送信部２２ｂは発光し、装置本体１１の受信部１３に向けて第１信号が送信される。
【００４４】
このように、実施例１のリモコン２０では、コントローラ本体２１の向きに応じて複数の送信部（第１送信部２２ａ〜第３送信部２２ｃ）の中から信号の送信に最適な送信部が選択され、当該送信部（図６（ａ）では第２送信部２２ｂ）から第１信号を装置本体１１に向けて送信することができる。よって、検者６はコントローラ本体２１を所望の向きに向けた状態でリモコン２０の操作を行うことができ、コントローラ本体２１の姿勢に拘らず、所望の方向に信号を送信できる。
【００４５】
また、このとき、第１信号を送信するために発光するのは、予め選択された第２送信部２２ｂだけである。そのため、信号の送信に不要な第１送信部２２ａや第３送信部２２ｃが発光することがないので、無駄な電力消費を抑制することができる。
【００４６】
さらに、このリモコン２０では、コントローラ本体２１に設けられた表示部２３に、第１信号を送信するために選択された送信部（ここでは第２送信部２２ｂ）の位置が表示される。これにより、検者６は、正面２１ｄを自身に向けた状態で操作することで、表示部２３の表示を確認でき、どこの送信部から第１信号が送信されているのか把握することができる。すなわち、検者６は、第１信号を送信する送信部の位置を認識しながらコントローラ本体２１を適切な方向に向けて操作することができ、操作性を向上させつつ、検者６に安心感を与えることができる。
【００４７】
また、この実施例１では、表示部２３に表示されたＬＥＤグラフィック２３ａの先端方向に向きによって、第１信号を送信するために選択された送信部（ここでは第２送信部２２ｂ）の信号の送信方向を表示する。また、表示部２３に表示された扇型グラフィック２３ｂの厚みによって、第１信号を送信するために選択された送信部（ここでは第２送信部２２ｂ）の信号の送信強度を表示する。また、表示部２３に表示された扇型グラフィック２３ｂの幅によって、第１信号を送信するために選択された送信部（ここでは第２送信部２２ｂ）の信号の配光特性を表示する。
【００４８】
そのため、検者６は、実際に第１信号を送信する送信部（ここでは第２送信部２２ｂ）の状態を適切に把握することができる。これにより、例えば信号強度が弱っていることを把握したときには、コントローラ本体２１に搭載した電池（バッテリー）を交換したり、信号の送信方向や配光特性に応じてコントローラ本体２１の向きを微調整したりすることができる。この結果、リモコン２０の操作をさらに適切に行うことができ、操作性をさらに向上させることができる。
【００４９】
そして、この実施例１の視標提示装置１０では、リモコン２０において、複数の送信部（第１送信部２２ａ〜第３送信部２２ｃ）から選択的に第１信号を送信可能である一方、装置本体１１が、被検者２に視標を提示する視標提示部１２と、リモコン２０から送信された第１信号を受信する受信部１３と、受信部１３にて受信した第１信号に基づいて被検眼Ｅと視標提示部１２との位置関係を調整するアライメント駆動部１４と、を備えている。
【００５０】
これにより、検者６は、所望の向きにリモコン２０のコントローラ本体２１を向けた状態でアライメントを行うことができる。そのため、アライメント時の操作性を向上させ、アライメント時間を短縮したり、正確にアライメントを行ったりすることが可能となる。
【００５１】
なお、アライメント時に、検者６がコントローラ本体２１を垂直に立てて持った状態で操作することを希望している場合には、検者６は、第１信号を送信する送信部として、例えば第３送信部２２ｃを選択する。この結果、図６（ｂ）に示すように、検者６は、正面２１ｄを自身に向けた状態でリモコン２０のコントローラ本体２１を垂直に立てて持ち、右側面２１ｃを装置本体１１の受信部１３に向けた状態で被検者２の被検眼Ｅの横に差し出すことができる。これにより、検者６は、表示面２３を視認しつつ、コントローラ本体２１を所望の方向に向けてアライメントを行うことができ、操作性の向上を図ることができる。
【００５２】
さらに、視標提示部１２に表示させる視標を設定するための第２信号を送信する場合には、被検眼Ｅの横にコントローラ本体２１を差し出す必要がない。そのため、検者６は、コントローラ本体２１を持って使用するだけでなく、検眼テーブル３の上にリモコン２０を載置したまま使用することが可能である。この場合、図７に示すように、リモコン２０の置き方や持ち方等によって、装置本体１１の受信部１３に対するリモコン２０の位置及び向きが異なる。
【００５３】
これに対し、実施例１のリモコン２０では、複数の送信部（第１送信部２２ａ〜第３送信部２２ｃ）の中から、第２信号を送信する送信部を選択した上で、選択した送信部から第２信号を送信する。これにより、このリモコン２０は、コントローラ本体２１の向きに応じて適切な方向に第２信号を送信することができる。
【００５４】
さらに、複数の装置本体１１が並んで配置されている場合では、複数のリモコン２０から同時に信号が送信されるとノイズエラーが発生してしまう。この場合、視標提示装置１０ごとにチャンネル設定を行っても、エラーが発生する場合がある。そのため、送信部（第１送信部２２ａ〜第３送信部２２ｃ）は、第２信号の送信方向や配光特性を絞り込んだものにする必要がある。これに対し、実施例１のリモコン２０では、複数の送信部（第１送信部２２ａ〜第３送信部２２ｃ）のいずれかから選択的に第２信号を送信させることができるので、第２信号の送信方向や配光特性を絞り込んでいても、リモコン２０のコントローラ本体２１の向きを無理に変更することなく、適切に第２信号を送信することが可能となる。これにより、複数の装置本体１１が並んで配置されている場合であっても、検者６による操作が行いやすい方向にコントローラ本体２１を配置した状態でリモコン２０を使用することができる。
【００５５】
以上、本発明の視標提示装置用リモートコントローラ（リモコン２０）及び視標提示装置を実施例１に基づいて説明してきたが、具体的な構成については、この実施例に限定されるものではなく、特許請求の範囲の各請求項に係る発明の要旨を逸脱しない限り、設計の変更や追加等は許容される。
【００５６】
実施例１では、第１送信部２２ａ〜第３送信部２２ｃを構成するＬＥＤが、コントローラ本体２１の表面から露出している例を示した。しかしながら、これに限らず、図８に示すように、信号を透過可能なカバーＫによって第１送信部２２ａ〜第３送信部２２ｃを覆ってもよい。この場合では、第１送信部２２ａ〜第３送信部２２ｃの位置がさらに外部から分かりにくくなるが、表示部２３に信号を送信するために選択した送信部の位置を表示することで、検者６は選択した送信部の位置を適切に把握することができる。
【００５７】
さらに、リモコン２０は、図８に示すように、可視光を発光可能なレーザポインタＬをコントローラ本体２１に搭載していてもよい。この場合、レーザポインタＬからの光によって、視標等を指し示すことが可能となる。そのため、紙製の視力検査表等を用いた視力検査を行う場合などであってもリモコン２０を用いることができる。
【００５８】
また、実施例１では、第１送信部２２ａをコントローラ本体２１の左側面２１ａに設け、第２送信部２２ｂをコントローラ本体２１の上面２１ｂに設け、第３送信部２２ｃをコントローラ本体２１の右側面２１ｃに設けた例を示した。しかしながら、送信部を設ける位置はこれに限らない。例えば、図９に示すように、コントローラ本体２１の左側面２１ａと上面２１ｂとの角部に第１送信部２２ａを設け、コントローラ本体２１の右側面２１ｃと上面２１ｂとの角部に第２送信部２２ｂを設けてもよい。さらに、コントローラ本体２１の正面２１ｄに第３送信部２２ｃを設けてもよい。さらに図示しないが、コントローラ本体２１の背面（表示部２３が設けられた面に対向する面）に送信部を設けてもよい。
【００５９】
また、実施例１では、送信部の位置及び送信方向を示す際にＬＥＤグラフィック２３ａを用い、信号強度及び配光特性を示す際に扇形グラフィック２３ｂを用いる例を示したが、これに限らない。信号を送信するために選択した送信部の位置や送信方向、信号強度、配光特性を検者６に認識させることができる表示であれば、形状や色等を任意に設定することができる。また、文字によって表示してもよい。さらに、少なくとも信号を送信する送信部の位置を検者６に認識させることができればよいため、例えば配光特性や信号強度等は表示されなくてもよい。
【符号の説明】
【００６０】
１        眼科装置
２        被検者
３        検眼テーブル
６        検者
１０      視標提示装置
１１      装置本体
１２      視標提示部
１３      受信部
１４      アライメント駆動部
２０      リモコン（視標提示装置用リモートコントローラ）
２１      コントローラ本体
２２ａ    第１送信部
２２ｂ    第２送信部
２２ｃ    第３送信部
２３      表示部
２４      送信部選択ボタン群
２５      アライメントボタン
２６      視標設定ボタン群
２７      電源ボタン
２８      信号制御部
Ｅ        被検眼
Ｌ        レーザポインタ
【図１】
2020141899.tif 000003
【図２】
2020141899.tif 000004
【図３】
2020141899.tif 000005
【図４】
2020141899.tif 000006
【図５】
2020141899.tif 000007
【図６】
2020141899.tif 000008
【図７】
2020141899.tif 000009
【図８】
2020141899.tif 000010
【図９】
2020141899.tif 000011